(57)【要約】【課題】酵母様真菌が出現している検体でも、より効率よく、また精度よく検体中の赤血球を判別する。【解決手段】本発明は、尿中の赤血球を分析するための試薬であって、ベンジルアルコール、フェノール、１−フェノキシ−２−プロパノール、２−フェノキシエタノール、酢酸フェニル、２−アミノベンゾチアゾール及びベンゾチアゾールからなる群から選択されるベンゼン環を有する非イオン性有機化合物を含む第一の試薬と、蛍光色素を含む第二の試薬とを含む、尿中赤血球分析用試薬を提供する。【選択図】図２
2010002428.tif 000002
【特許請求の範囲】
【請求項１】
尿中の赤血球を分析するための試薬であって、
ベンジルアルコール、フェノール、１−フェノキシ−２−プロパノール、２−フェノキシエタノール、酢酸フェニル、２−アミノベンゾチアゾール及びベンゾチアゾールからなる群から選択されるベンゼン環を有する非イオン性有機化合物を含む第一の試薬と、
蛍光色素を含む第二の試薬とを含む、尿中赤血球分析用試薬。
【請求項２】
前記蛍光色素は、以下の式
【化１】
2010002428.tif 000009
〔式中、Ａは−Ｏ−，−Ｓ−又は−Ｃ（ＣＨ3）2−、Ｒは低級アルキル基、Ｘはハロゲン、Ｙは−ＣＨ＝又は−ＮＨ−、ｎは０又は１、Ｂは、
【化２】
2010002428.tif 000010
（式中ＡとＲは上記と同義である）又は２つの低級アルコキシ基もしくは１つのジ低級アルキルアミノ基（この低級アルキルはシアノ基で置換されていてもよい）で置換されたフェニル基である。〕から選ばれる、請求項１に記載の尿中赤血球分析用試薬。
【請求項３】
前記第一の試薬は、ｐＨが７．０〜９．０の範囲にあることを特徴とする、請求項１又は２に記載の尿中赤血球分析用試薬。
【請求項４】
尿中の赤血球を分析するための試薬であって、
ベンジルアルコール、フェノール、１−フェノキシ−２−プロパノール、２−フェノキシエタノール、酢酸フェニル、２−アミノベンゾチアゾール及びベンゾチアゾールからなる群から選択されるベンゼン環を有する非イオン性有機化合物及び蛍光色素を含む、尿中赤血球分析用試薬。
【発明の詳細な説明】
【技術分野】
【０００１】
本発明は、尿中の赤血球を分析するための試薬に関し、更に詳しくは、尿中に出現した赤血球と、酵母様真菌等の特定の細菌との判別精度をより向上させた尿中赤血球分析用試薬に関するものである。
【背景技術】
【０００２】
尿中に出現する赤血球、白血球、上皮細胞、円柱、細菌等の粒子を分析することは、腎・尿路系の疾患を判別する上で重要である。例えば赤血球は腎臓の糸球体から尿道に至る経路における出血の有無を判定する上で重要である。また白血球の増加は、炎症、感染症の疑いを示す。また赤血球や円柱の形態を調べることにより、その由来部位を推定することもできる。
【０００３】
従来、尿中に出現する粒子を分析する方法としては、染色を施した尿検体をスライドガラスや計算盤上に乗せて顕微鏡で観察し、視野内の粒子を種類毎に計数するという方法が用いられていた。しかしこの方法はいわゆる用手法であり、実施する者に負担となるばかりでなく、実施する者の熟練度合によって計数結果にばらつきが生じやすい。
【０００４】
近年、フローサイトメトリ法を利用して尿中に含まれている粒子を自動的に分類して計数する技術が開発されている。この方法では、尿検体に蛍光染色を施して調製した試料液をフローセルに流し、前記フローセルにレーザ光を照射する。そしてレーザ光を照射された試料液中の粒子が発する前方散乱光や蛍光の強度を検出する。前方散乱光の強度はその粒子の大きさを反映し、粒子が大きいほど前方散乱光の強度が大きくなる。また蛍光の強度は、その粒子の蛍光染色度合いを反映する。粒子の種類によって前方散乱光強度や蛍光強度が異なるので、これらの光学的情報を組み合わせて解析することにより、その粒子の種類を判別して計数することができる（特許文献１参照のこと）。
【０００５】
しかし特許文献１の方法において、比較的大型の細菌である酵母様真菌が含まれる尿検体では、それらの粒子から検出される前方散乱光や蛍光の強度が、赤血球から検出されるものと同程度となり、赤血球との判別が困難となる場合があった。
【０００６】
そのような問題に対しては、例えば、赤血球と酵母様真菌が出現した検体に対し、赤血球を溶血させるための細胞膜損傷剤を添加して試料液を調製してフローサイトメータで測定した結果と、細胞膜損傷剤を添加せずに試料液を調製してフローサイトメータで測定した結果を得て、両結果を比較することにより、赤血球と酵母様真菌を区別して計数する技術がある（特許文献２参照のこと）。
【先行技術文献】
【特許文献】
【０００７】
【特許文献１】米国特許５３２５１６９号明細書
【特許文献２】特開平９−３２９５６９号公報
【発明の概要】
【発明が解決しようとする課題】
【０００８】
しかし特許文献２に記載の方法では、赤血球を溶血させた試料と、赤血球を溶血させていない試料をそれぞれ測定するため、測定に必要な検体や試薬の量が増えると共に、測定に必要な時間も増えてしまう。
【０００９】
本発明は上記の課題に鑑み、より効率よく検体中の赤血球を判別出来る尿中赤血球分析用試薬を提供する。また本発明は、より精度よく検体中の赤血球を判別出来る尿中赤血球分析用試薬を提供する。
【課題を解決するための手段】
【００１０】
本発明は、尿中の赤血球を分析するための試薬であって、ベンジルアルコール、フェノール、１−フェノキシ−２−プロパノール、２−フェノキシエタノール、酢酸フェニル、２−アミノベンゾチアゾール及びベンゾチアゾールからなる群から選択されるベンゼン環を有する非イオン性有機化合物を含む第一の試薬と、蛍光色素を含む第二の試薬とを含む、尿中赤血球分析用試薬を提供する。
【００１１】
また、本発明は、尿中の赤血球を分析するための試薬であって、ベンジルアルコール、フェノール、１−フェノキシ−２−プロパノール、２−フェノキシエタノール、酢酸フェニル、２−アミノベンゾチアゾール及びベンゾチアゾールからなる群から選択されるベンゼン環を有する非イオン性有機化合物及び蛍光色素を含む、尿中赤血球分析用試薬を提供する。
【発明の効果】
【００１２】
本発明によれば、酵母様真菌が出現している検体でも、赤血球を溶血させず、かつ酵母様真菌の蛍光染色性を向上させることによって、従来と比べより効率よく赤血球を判別することが可能となる。また本発明によれば、より精度よく赤血球を判別することが可能となる。
【図面の簡単な説明】
【００１３】
【図１】従来方法において得られる二次元スキャッタグラムを模式的に説明する図である。
【図２】本発明の一実施形態の試薬を用いて得られる二次元スキャッタグラムを模式的に説明する図である。
【図３】尿中粒子分析装置の外観を説明する図である。
【図４】尿中粒子分析装置の内部構成を説明する図である。
【図５】尿中粒子分析装置の試料調製部を説明する図である。
【図６】尿中粒子分析装置の検出部を説明する図である。
【図７】尿中粒子分析装置の制御部を説明する図である。
【図８】尿中粒子分析装置の全体制御を説明するフローチャートである。
【図９】尿中粒子分析装置の粒子信号解析の動作を説明するフローチャートである
【図１０】尿中粒子分析装置により実行される解析プログラムの各ステップを説明するフローチャートである。
【図１１】尿中粒子分析装置により作成された二次元スキャッタグラムの一例を示す図である。
【図１２】尿中粒子分析装置の液晶タッチパネルに、解析の結果が表示された様子を示す図である。
【図１３】尿中粒子分析装置により作成された二次元スキャッタグラムの一例を示す図である。
【発明を実施するための最良の形態】
【００１４】
以下、本発明の実施形態について説明する。しかし本発明がこの実施形態に限定されるわけではない。この実施形態においては、尿検体と所定の試薬を混合して尿中の粒子を蛍光染色することにより試料液を調製する。そして試料液中に含まれる各粒子から、その粒子の大きさを反映する情報、及び粒子の染色度合いを反映する情報を検出する。そしてそれらの情報を解析することにより、赤血球を他の粒子と判別して計数する。
【００１５】
粒子の大きさを反映する情報、及び粒子の染色度合いを反映する情報を検出する方法としては、例えばフローサイトメトリ法を用いることが出来る。これを自動的に行う装置としては、フローサイトメータがある。フローサイトメータは、試料液を流すためのフローセル、フローセル中を流れる試料液にレーザ光を照射するためのレーザ光源、レーザ光を照射された試料液中の粒子から発せられる散乱光や蛍光を受光して光の強度に応じた電気信号へ変換する光電変換素子、光電変換素子が出力する粒子毎の電気信号の信号強度を抽出する信号処理回路を有する。粒子が発する散乱光の強度は粒子の大きさを反映する情報であり、粒子が発する蛍光の強度は粒子の蛍光染色度合いを反映する情報である。散乱光としては、粒子に対して入射するレーザ光の光軸の延長方向若しくはその周辺の方向へ散乱するもの（前方散乱光）や、粒子に対して入射するレーザ光の光軸と直行する方向若しくはその周辺の方向へ散乱するもの（側方散乱光）、或いはその他の角度に散乱するものが挙げられる。これらは粒子の大きさを反映する情報として使用できるが、特に前方散乱光が好適に用いられる。
【００１６】
なお、粒子の大きさを反映する情報の検出には、いわゆる電気抵抗式の検出器を用いてもよい。電気抵抗式の検出器では、電圧を印加した細孔に粒子を通過させ、その際の電気抵抗の変化を電気信号として捉える。その信号強度が粒子の大きさ（体積）に応じて異なるので、これを粒子の大きさを反映する情報として用いることが出来る。
【００１７】
赤血球が有する蛍光強度、及び散乱光強度（又は電気抵抗式の検出器により検出される粒子毎の電気信号の強度）の範囲を予め定めておけば、各粒子から検出した信号がその範囲に入るか否かによってその粒子が赤血球か否か判別できる。
【００１８】
検体と混合して試料液を調製するための試薬としては、尿検体中の粒子を染色するための蛍光色素を含有する染色液、及び検体に蛍光染色処理を施すための環境を整える物質を含む希釈液を用いることができる。検体と希釈液及び染色液を混合することにより、分析用の試料液が調製される。
【００１９】
尿検体中に酵母様真菌が出現していると、酵母様真菌から検出される前方散乱光及び蛍光の強度が赤血球から検出される強度と重なり、判別が困難な場合があることは前述の通りである。そこで、希釈液に酵母様真菌と赤血球との間に蛍光色素の染色性に差を生じさせる物質を含有させることにより、酵母様真菌と赤血球から検出される蛍光強度に差が生じ、赤血球の判別精度を向上させることができる。そのような物質としては、酵母様真菌の細胞膜に損傷を与えて細胞内部への色素透過性を亢進させる物質が挙げられる。酵母様真菌の細胞膜に損傷がない場合、蛍光色素は細胞膜表面と結合するのみであるが、細胞膜に損傷があると、蛍光色素が細胞膜表面のみならず、細胞内部にも入り込んで核酸等の細胞内物質と結合し、蛍光染色性が向上する。なお、酵母様真菌の細胞膜に損傷を与えて細胞内部への色素透過性を亢進させる物質は、赤血球の細胞膜には損傷を与えないものである必要がある。赤血球の細胞膜が損傷すると溶血を生じてしまい、赤血球の計数が困難となるからである。上記の条件を満たす物質としては、ベンゼン環を有する非イオン性有機化合物が挙げられる。例えば、ベンジルアルコール、βフェネチルアルコール、フェノール、１−フェノキシ−２−プロパノール、２−フェノキシエタノール等の芳香族アルコールや、酢酸フェニル、また２−アミノベンゾチアゾールやベンゾチアゾール等のベンゾチアゾール化合物を用いることが出来る。これらのうち特に２−フェノキシエタノールが好適に用いられる。
【００２０】
なお、上記各物質の溶解性を向上させるため、希釈液中にＭＴＡＢ、ＤＴＡＢ、ＯＴＡＢ等の界面活性剤を含有させてもよい。なお上記界面活性剤の濃度が高いと赤血球を溶血させてしまう恐れがあるので、赤血球を溶血させない程度の濃度で用いることが好ましい。
【００２１】
希釈液は、赤血球が溶血しない浸透圧及びｐＨの範囲に緩衝能を保つために緩衝剤や浸透圧補償剤を含むことが好ましい。希釈液のｐＨは７．０〜９．０、好ましくは７．１〜８．６、より好ましくは７．１〜７．８、更に好ましくは７．３〜７．８の範囲で用いることが望ましい。これは、希釈液のｐＨが９．０を超えて強アルカリ性となると赤血球が溶血する恐れがあり、また酸性領域では、尿検体におけるｐＨ変化が大きく赤血球がダメージを受けたり、尿中の粒子の染色性が全体的に低下する恐れがあるからである。
【００２２】
希釈液に含有させる緩衝剤としては、従来公知のものを使用することができる。例えば、トリス及びMES、Bis-Tris、ADA、PIPES、ACES、MOPSO、BES、MOPS、TES、HEPES、DIPSO、TAPSO、POPSO、HEPPSO、EPPS、Tricine、Bicine、TAPSのようなグッド緩衝剤等を挙げることができる。中でも、HEPESが好ましい。濃度は、用いる緩衝剤の緩衝能に応じて、尿検体を希釈したときにｐＨがある一定の範囲内になる濃度で用いられる。通常、２０〜５００ｍＭ、好ましくは５０〜２００ｍＭである。
【００２３】
希釈液に含有させる浸透圧補償剤としては、無機塩類やプロピオン酸塩等の有機塩類、糖類などが用いられる。無機塩類としては、塩化ナトリウム、塩化カリウム、臭化ナトリウム等が用いられる。有機塩類のうちプロピオン酸塩としては、プロピオン酸ナトリウム、プロピオン酸カリウム、プロピオン酸アンモニウム等が用いられる。他の有機塩類としてはシュウ酸塩、酢酸塩等が用いられる。糖類としては、ソルビトール、グルコース、マンニトール等が用いられる。浸透圧補償剤は、赤血球の溶血防止と安定した蛍光強度を得ることを目的として添加する。尿の浸透圧は、５０〜１３００ｍＯｓｍ／ｋｇと広範囲にわたって分布している。分析用試薬の浸透圧が低すぎると赤血球の溶血が早期に進行してしまい、逆に高すぎると尿中の粒子の損傷が大きくなるので浸透圧は、１００〜６００ｍＯｓｍ／ｋｇが好ましく、１５０〜５００ｍＯｓｍ／ｋｇがより好ましい。
【００２４】
また尿中に出現する無晶性塩類（例えば、リン酸アンモニウム、リン酸マグネシウム、炭酸カルシウム）の影響を低減するために、それらを溶解するためのキレート剤を希釈液に含有させてもよい。キレート剤は、脱カルシウム剤、脱マグネシウム剤であればとくに種類の限定はない。例えば、EDTA塩、CyDTA、DHEG、DPTA-OH、EDDA、EDDP、GEDTA、HDTA、HIDA、Methyl-EDTA、NTA、NTP、NTPO、EDDPO等が挙げられる。好適には、EDTA塩、CyDTA、GEDTAが用いられる。濃度は、０．０５〜５Ｗ／Ｗ％の範囲で使用することができ、好適には０．１〜１Ｗ／Ｗ％である。なお、ここでいう脱カルシウム剤、脱マグネシウム剤とは、カルシウムイオン、マグネシウムイオンと結合して、水溶性の化合物を形成するものを意味する。
【００２５】
尿中に含まれる粒子を染色するための蛍光色素としては、例えば以下の化学式で表される縮合ベンゼン誘導体を用いることが出来る。
【００２６】
【化１】
2010002428.tif 000003
【００２７】
〔式中、Ａは−Ｏ−，−Ｓ−又は−Ｃ（ＣＨ3 ）2 −、Ｒは低級アルキル基、Ｘはハロゲン、Ｙは−ＣＨ＝又は−ＮＨ−、ｎは０又は１、Ｂは、
【００２８】
【化２】
2010002428.tif 000004
【００２９】
（式中ＡとＲは上記と同義である）又は２つの低級アルコキシ基もしくは１つのジ低級アルキルアミノ基（この低級アルキルはシアノ基で置換されていてもよい）で置換されたフェニル基である。〕。上記低級アルキル基としては、炭素数１〜６のアルキル基を意味し、例えばメチル、エチル、プロピル、ブチル、イソブチル、ペンチル、ヘキシル等が挙げられる。Ｘのハロゲン原子としてはフッ素、塩素、臭素、ヨウ素が挙げられる。また、Ｂにおける２つの低級アルコキシ基で置換されたフェニル基とは、２つのＣ1-3 アルコキシ基、好ましくはＣ1-2 アルコキシ基、例えばメトキシ基、エトキシ基で置換されたフェニル基をいう。具体的には、２，６−ジメトキシフェニル基、２，６−ジエトキシフェニル基が挙げられる。また、Ｂにおけるジ低級アルキルアミノ基（該低級アルキル基はシアノ基で置換されていてもよい）で置換されたフェニル基とは、Ｃ1-3 アルキルアミノ基、好ましくはＣ1-2 アルキルアミノ基で置換されたフェニル基をいう。ここで、該アルキル基はシアノ基で置換されていてもよく、例えばメチル、エチル、シアノメチル、シアノエチル等を含む。好ましいジ低級アルキルアミノ基（該低級アルキルはシアノ基で置換されていてもよい）で置換されたフェニル基としては、４−ジメチルアミノフェニル基、４−ジエチルアミノフェニル基、４−（シアノエチルメチルアミノ）フェニル基などが挙げられる。このような縮合ベンゼン誘導体の具体例としては、
【００３０】
【化３】
2010002428.tif 000005
【００３１】
が挙げられる。この色素は、日本感光色素研究所（株）から入手できる。
【００３２】
上記色素はポリメチン系の蛍光色素であり、波長６３３ｎｍの赤色レーザ光を照射することにより蛍光が励起される。なお染色液に含有させる蛍光色素は上記以外にも、蛍光を励起させるためのレーザ光の波長に応じて適当なものを適宜選択して用いることができる。
【００３３】
蛍光色素は水溶液中で不安定なものが多いため、蛍光色素を水溶性有機溶媒に溶解させたものを染色液として用いることで、蛍光色素の保存安定性を高めることができる。水溶性有機溶媒としては、低級アルカノール、低級アルキレングリコールまたは低級アルキレングリコールモノ低級アルキルエーテルが好ましい。例えば、メタノール、エタノール、ｎ−プロパノール、エチレングリコール、ジエチレングリコール、トリエチレングリコール、エチレングリコールモノメチルエーテル、エチレングリコールモノエチルエーテルなどを使用することができる。中でもエチレングリコール、ジエチレングリコール、トリエチレングリコールが好ましく、尿中の粒子への影響や粘性などを考慮するとエチレングリコールがより好ましい。蛍光色素は、分析用試料液の終濃度として１〜２０ｐｐｍ、好ましくは３〜１２ｐｐｍ、より好ましくは３〜９ｐｐｍの範囲で用いることが望ましい。
【００３４】
なお染色液と希釈液を別液として用いるのではなく、蛍光色素を希釈液に含有させることによって一液の試薬として用いてもよい。
【００３５】
図１及び図２は、赤血球及び酵母様真菌を含む尿試料液からフローサイトメータによって得られる粒子毎の前方散乱光強度及び蛍光強度を軸にとった二次元スキャッタグラムを示す模式図である。いずれも縦軸に前方散乱光強度を、横軸に蛍光強度をとっており、この座標空間において上へ行くほど前方散乱光強度が大きくなり、左へ行くほど蛍光強度が大きくなる。赤血球計数領域Rは、その範囲内の前方散乱光強度及び蛍光強度を有する粒子を赤血球とみなして計数するためのものであり、各図において赤血球に対応するドットの集団が赤血球計数領域R内に出現している。また酵母様真菌に対応するドットの集団も各図に示されている。
【００３６】
図１は、従来方法により調製した尿試料液から得られる二次元スキャッタグラムを示したものであり、酵母様真菌に対応するドットの一部が、赤血球計数領域Rに入っている。このような場合、赤血球の計数結果は実際よりも多くなってしまい、正確な赤血球数を求めることは困難となる。
【００３７】
一方図２は、本発明の方法により調製した尿試料液から得られる二次元スキャッタグラムを示したものである。酵母様真菌に対応するドットの出現する位置が図１と比較して左方へ移動し（図１における位置は破線で示されている）、赤血球計数領域Rとは重なっていないことがわかる。これは、酵母様真菌の染色性を向上させる物質の作用により、酵母様真菌から検出される蛍光の強度が大きくなるためである。この物質は、赤血球の細胞膜には損傷を与えないので、赤血球の検出・計数に不都合は生じない。
【００３８】
実施例１
以下、本発明の実施例につき説明する。この実施例は、ヒトの尿を検体とし、フローサイトメトリ法を応用した尿中粒子分析装置により尿中赤血球の検出を行うものである。
【００３９】
検体
本実施例では、赤血球を含むヒトの尿に、純培養した酵母様真菌（C. glabrata）を１００個／μｌ程度の濃度で添加したものを検体として用いた。
【００４０】
試薬
尿中粒子分析装置で用いる試薬としては、以下の組成の染色液及び希釈液を用いた。
染色液
以下の式で表される蛍光色素を分析用試料の終濃度６ｐｐｍとなるようエチレングリコールに溶解させたものを染色液とした。
【００４１】
【化４】
2010002428.tif 000006
【００４２】
希釈液
以下の各物質を精製水に溶解させたものを希釈液とした。
ＨＥＰＥＳ・・・・・・・・・・・１１．９ｇ／ｌ
プロピオン酸ナトリウム・・・・・５．９８ｇ／ｌ
ＥＤＴＡ−３Ｋ・・・・・・・・・４．０ｇ／ｌ  
２−フェノキシエタノール・・・・７．５ｇ／ｌ
水酸化ナトリウム・・・・・・・・ｐＨが７．０となる量
【００４３】
尿中粒子分析装置
図３は、本実施例で用いる尿中粒子分析装置１００の外観を示したものである。装置の前面には、各種設定入力を行ったり、また分析結果を表示出力するための液晶タッチパネル１０１、後述する試料調製部２００を覆うカバー１０２、スタートスイッチ１０３を備えている。図４は尿中粒子分析装置１００の内部構成を示したものである。装置の右側のスペースには、装置の動作や解析処理を司る制御部４００が備えられている。装置の左下のスペースには、試料液から信号を検出するための検出部３００が備えられている。また残りのスペースに、試料液を調製するための試料調製部２００が備えられている。
【００４４】
以下、試料調製部２００、検出部３００、制御部４００の各部について説明する。
【００４５】
試料調製部２００の構成
図５は試料調製部２００を示す説明図である。試料調製部２００は、手前右側に検体セット部２２１、手前左側に試薬セット部２２２、奥側にインキュベータ２２３を備えている。また分注装置２２４を備えている。操作者が前記図３のカバー１０２を開けることにより、図５に示した試料調製部２００が現れる。試料調製部２００において、検体セット部２２１には、検体の入った検体容器２２５をセットするよう構成されている。インキュベータ２２３には、反応容器２２６をセットするよう構成されている。また試薬セット部２２２には、染色液の入った試薬容器２２７、希釈液が入った試薬容器２３１をセットするよう構成されている。インキュベータ２２３は、セットされた反応容器２２６の中の液体を、所定の温度に保ちながら振盪撹拌するよう構成されている。分注装置２２４は、その先端から所定量の液体を吸引・吐出するようになっており、また図示しない駆動装置によって前後・上下・左右に移動可能に構成されている。試料容器２３３は、後述する検出部３００のフローセル３０１と接続されている。
【００４６】
検出部３００の構成
図６は検出部３００の構成を示す説明図である。検出部３００は、試料液を流すためのフローセル３０１を有する。フローセル３０１は、レーザ光が照射される部分であり内部流路が細く絞られているオリフィス部３０２、試料液をオリフィス部に向かって上方へ噴射するノズル３０３、シース液供給口３０４、排液口３０５を有する。また検出部３００は、レーザ光を照射するためのレーザ光源３０６を有する。レーザ光源３０６は、波長６３３ｎｍのレーザ光を出射する赤色半導体レーザ光源である。半導体レーザ光源は、アルゴンイオンレーザ光源に代表される従来の気体レーザ光源に比べ小型であり、また発振寿命も長いという利点を有する。検出部３００はさらに、レーザ光源３０６から照射されたレーザ光をフローセル３０１へ集光するコンデンサレンズ３０７、レーザ光を照射された試料液中の粒子から発せられた前方散乱光を受光して電気信号に変換するフォトダイオード３０８、フォトダイオード３０８へ前方散乱光を集光するためのコレクタレンズ３０９とピンホール３１０、レーザ光を照射された試料液中の粒子から発せられた蛍光を受光して電気信号に変換するフォトマルチプライヤチューブ３１１、フォトマルチプライヤチューブ３１１へ蛍光を集光するためのコレクタレンズ３１２、フィルタ３１３、ピンホール３１４、フォトダイオード３０８やフォトマルチプライヤチューブ３１１から出力された電気信号を増幅し、前方散乱光信号及び蛍光信号として制御部４００へ出力するアンプ３１５、３１６を有する。
【００４７】
制御部４００の構成
図７は制御部４００の構成、及び制御部４００と装置各部との関係を示すブロック図である。制御部４００は、メモリ４０１、中央演算処理装置（ＣＰＵ）４０２、検出部３００から送られた信号を処理する信号処理回路４０３、尿中粒子分析装置１００の装置各部の動作を制御するための動作制御回路４０４を有する。メモリ４０１は、試料液中に含まれる赤血球や細菌等の粒子から得た信号の解析に関する解析プログラムや、装置各部の動作を制御する制御プログラムを記憶している。また、信号処理回路４０３により処理されたデータや、解析プログラムによる処理結果を記憶する。ＣＰＵ４０２は、メモリ４０１から読み出された解析プログラムや制御プログラムを実行し、検出部３００において試料液から検出された信号を処理・解析したり、装置各部の動作を制御するための信号を動作制御回路４０４に送ったりする。解析プログラムによる解析結果は、液晶タッチパネル１０１に出力される。
【００４８】
以下、尿中粒子分析装置１００の動作の詳細につき説明する。図８は、制御プログラムによる尿中粒子分析装置１００の全体制御を示すフローチャートである。操作者がスタートスイッチ１０３を押すと、制御プログラムが起動し、ステップＳ１（分析用試料液の調製）、ステップＳ２（粒子信号の検出）、ステップＳ３（粒子信号の解析）が順次実行される。これにより、試料調製部２００、検出部３００、制御部４００の各部が制御され、尿中粒子分析装置１００の一連の動作が自動的に実行される。上記ステップＳ１、Ｓ２、Ｓ３における装置各部の動作を以下に説明する。
【００４９】
ステップＳ１（分析用試料液の調製）
ステップＳ１では、試料調製部２００が制御され、分析用試料の調製が実行される。ステップＳ１における試料調製部２００の動作を、図５を用いて説明する。まず分注装置２２４が、試薬セット部２２２の試薬容器２３１から希釈液を５２２μＬ吸引し、次に検体セット部２２１にセットされている検体容器２２５から検体（ヒトの尿）を１８０μＬ吸引する。そして吸引した希釈液と検体を、インキュベータ２２３にセットされている反応容器２２６に分注する。次に分注装置２２４は、試薬セット部２２２の試薬容器２２７から１８μＬの染色液を吸引し、反応容器２２６に分注する。この後インキュベータ２２３が、検体・希釈液・染色液が入った反応容器２２６内の液温を３５℃に保ったまま１０秒間撹拌し、希釈された検体に染色を施す。このようにして調製した分析用試料液を分注装置２２４が吸引し、試料容器２３３に供給する。試料容器２３３に供給された分析用試料液は、検出部３００のフローセル３０１に流される。
【００５０】
ステップＳ２（粒子信号の検出）
ステップＳ２では、検出部３００が制御され、分析用試料液中の粒子から、各粒子の特徴を反映する信号が検出される。ステップＳ２における検出部３００の動作を、図６を用いて説明する。前記の通り試料容器２３３に試料液が供給されると、図示しないポンプやバルブの動作により試料液がノズル３０３へ導かれる。そして試料液がノズル３０３からフローセル３０１に吐出される。それと同時にシース液が、図示しないシース液容器からシース液供給口３０４を介してフローセル３０１に供給される。これによって試料液は、フローセル３０１内でシース液に包まれ、更にオリフィス部３０２で細く絞られて流れる。試料液の流れを細く絞り込むことにより、試料液に含まれる赤血球や細菌等の粒子を一列に整列させてオリフィス部３０２に流すことができる。オリフィス部３０２を流れる試料液に対し、レーザ光源３０６から出射されたレーザ光がコンデンサレンズ３０７で絞られて照射される。レーザ光を受けた試料液中の粒子から発せられた前方散乱光はコレクタレンズ３０９により集光される。そしてピンホール３１０を通過した前方散乱光は、フォトダイオード３０８で受光、光電変換されてパルス状の前方散乱光信号となる。レーザ光を受けた試料液中の粒子から発せられた蛍光は、コレクタレンズ３１２により集光される。そしてフィルタ３１３、ピンホール３１４を通過した蛍光は、フォトマルチプライヤチューブ３１１で受光、光電変換されてパルス状の蛍光信号となる。前方散乱光信号及び蛍光信号は、それぞれアンプ３１５・３１６で増幅され、制御部４００へ送られる。
【００５１】
ステップＳ３（粒子信号の解析）
ステップＳ２で検出部３００により検出された前方散乱光信号及び蛍光信号は、制御部４００において図９に示すフロー（ステップＳ３１〜Ｓ３４）に従って解析される。
【００５２】
ステップＳ３１：まず検出部３００により検出された前方散乱光信号及び蛍光信号を信号処理回路４０３に入力する。この信号処理回路４０３は、前方散乱光信号及び蛍光信号それぞれにつき、一連の信号波形において所定の信号強度を超える部分を、粒子を検出した信号とみなす。そして粒子毎に信号強度のピーク値を抽出する。前方散乱光信号のピーク値を前方散乱光強度、蛍光信号のピーク値を蛍光強度とする。
【００５３】
ステップＳ３２：前記ステップＳ３１で得られた前方散乱光強度と蛍光強度は、粒子毎のデータとしてメモリ４０１に記憶される。
【００５４】
ステップＳ３３：メモリ４０１に記憶された粒子毎の前方散乱光強度及び蛍光強度のデータを、メモリ４０１に予め記憶されている解析プログラムにより解析する。ＣＰＵ４０２に読み出されて実行される解析プログラムの各ステップにつき、図１０のフローチャートを用いて説明する。
【００５５】
ステップＳ３３１：メモリ４０１から、分析用試料中の各粒子に対応した前方散乱光強度及び蛍光強度のデータを取得する。
【００５６】
ステップＳ３３２：前方散乱光強度及び蛍光強度のデータを二次元座標空間に展開し、前方散乱光強度及び蛍光強度をパラメータとした二次元スキャッタグラムを作成する。
【００５７】
ステップＳ３３３：ステップＳ３３２で作成した二次元スキャッタグラム上に、赤血球計数領域Rを設定する。赤血球計数領域Rは、その範囲内の前方散乱光強度及び蛍光強度を有する粒子を赤血球とみなして計数するために設定する領域である。赤血球計数領域Ｒの座標データはメモリ４０１に予め記憶されており、本ステップにおいて解析プログラムによって読み出され、二次元スキャッタグラム上に適用される。なお赤血球計数領域Ｒの位置は、予め顕微鏡検査等により赤血球であると確認された尿中の粒子から得た前方散乱光強度及び蛍光強度に基づき定めたものである。
【００５８】
上記ステップＳ３３３で作成された二次元スキャッタグラムの一例を、図１１に示す。この二次元スキャッタグラムは、縦軸に前方散乱光強度を、横軸に蛍光強度をとっている。この座標空間において上へ行くほど前方散乱光強度が大きくなり、左へ行くほど蛍光強度が大きくなる。赤血球計数領域Ｒが設定されている。また試料液中の各粒子に対応するドットが二次元スキャッタグラム上に出現している。
【００５９】
ステップＳ３３４：赤血球計数領域Ｒ内に出現しているドット数を計数する。そしてこのドット数と、分析用試料調製における検体の希釈倍率、並びにフローセルに流された試料液の体積に基づき、検体の単位量あたりに含まれていた赤血球数が算出される。
【００６０】
ステップＳ３３５：前記作成した二次元スキャッタグラムと、赤血球の計数結果を、解析結果として液晶タッチパネル１０１に出力するためのデータを作成し、作成したデータをメモリ４０１に記憶する。以上がステップＳ３３において解析プログラムにより実行されるステップである。続いて、図９に示したフローのステップＳ３４へ進む。
【００６１】
ステップＳ３４：
前記ステップＳ３３５でメモリ４０１に記憶された解析結果のデータを液晶タッチパネル１０１に出力する。図１２は、前記データが液晶タッチパネル１０１に出力された様子を示す模式図である。液晶タッチパネル１０１に、二次元スキャッタグラム、赤血球数が、解析結果として表示される。
【００６２】
分析結果の例
図１１は、前記検体を尿中粒子分析装置１００で分析して得られた二次元スキャッタグラムである。縦軸に前方散乱光強度を、横軸に蛍光強度をとっており、この座標空間において上へ行くほど前方散乱光強度が大きくなり、左へ行くほど蛍光強度が大きくなる。赤血球計数領域Rは、その範囲内の前方散乱光強度及び蛍光強度を有する粒子を赤血球とみなして計数するために設定された領域であり、その領域内に、赤血球に対応するドットの集団が出現している。一方、酵母様真菌に対応するドットの集団が、赤血球計数領域Rには入っていないことがわかる。
【００６３】
実施例２
実施例１への対照として、尿中粒子分析装置１００において以下の組成の希釈液を用いて尿検体を分析した。この希釈液は、実施例１で用いたものと比べ、２−フェノキシエタノールを含有しない点で異なる。用いた検体、染色液、尿中粒子分析装置は実施例１と同様である。
希釈液
以下の各物質を精製水に溶解させたものを希釈液とした。
ＨＥＰＥＳ・・・・・・・・・・・１１．９ｇ／ｌ
プロピオン酸ナトリウム・・・・・５．９８ｇ／ｌ
ＥＤＴＡ−３Ｋ・・・・・・・・・４．０ｇ／ｌ
水酸化ナトリウム・・・・・・・・ｐＨが７．０となる量  
【００６４】
図１３に、本実施例で得られた二次元スキャッタグラムを示す。本図においては、酵母様真菌に対応するドットの集団の一部が、赤血球計数領域Rに入っていることがわかる。この実施例２と、前記実施例１とを比較すると、前記実施例１において２−フェノキシエタノールが検体中の酵母様真菌に作用して色素の透過性を亢進させ、酵母様真菌が赤血球よりも大きな蛍光強度を有するようになったことが窺える。
【００６５】
実施例３
実施例１で用いた希釈液における水酸化ナトリウムの含有量を変化させ、ｐＨが異なる４種類の希釈液を調製した。それらを、実施例１で用いた希釈液を含めｐＨが５段階に異なる希釈液１〜５とした（希釈液１：ｐＨ７．０、希釈液２：ｐＨ７．１、希釈液３：ｐＨ７．３、希釈液４：ｐＨ７．８、希釈液５：ｐＨ８．６）。これらの希釈液を用いて尿検体を分析した。検体としては、赤血球を含まないヒトの尿に、純培養した酵母様真菌（C. glabrata）を１００個／μｌ程度の濃度で添加したものを用いた。用いた染色液、尿中粒子分析装置は実施例１と同様である。そして、各希釈液を用いた分析において、酵母様真菌から得られた蛍光信号強度の平均値を算出した。その結果を下記の表１に示す。なお蛍光強度の値は、図１１や図１３に示した尿中粒子分析装置１００により得られる二次元スキャッタグラムにおける横軸の最小値を０、最大値を２５５とした場合の相対的な値である。
【００６６】
【表１】
2010002428.tif 000007
【００６７】
表１中、希釈液のｐＨが７．０〜８．６といった中性から弱アルカリ性の範囲にかけては、アルカリ性が強くなるほど、酵母様真菌の蛍光染色性が向上している。このことから、酵母様真菌の蛍光染色性が向上して赤血球との蛍光強度の差が大きくなるｐＨを選択することにより、両者の判別がより確実なものとなる。
【００６８】
実施例４
実施例１で用いた希釈液において、酵母様真菌に作用して色素の透過性を亢進させる物質として含有させていた２−フェノキシエタノールに替えて他の物質を用いた希釈液を調製した。それらの希釈液を用いて尿検体を分析した。用いた検体、染色液、尿中粒子分析装置は実施例３と同様である。そして、各希釈液を用いた分析において、酵母様真菌から得られた蛍光信号強度の平均値を算出した。２−フェノキシエタノールに替えて希釈液に含有させた物質名及び酵母様真菌から得られた蛍光信号強度の平均値を下記の表２に示す。なお、各物質の希釈液中の濃度はいずれも１．０wt%である。蛍光強度の値は、実施例３と同様、図１１や図１３に示した尿中粒子分析装置１００により得られる二次元スキャッタグラムにおける横軸の最小値を０、最大値を２５５とした場合の相対的な値である。
【００６９】
【表２】
2010002428.tif 000008
【００７０】
なお、本発明者らの実験によれば、表２に挙げたような酵母様真菌の蛍光染色性を向上させる物質を含有しない希釈液を用いた場合は、酵母様真菌から得られる蛍光信号強度の平均値は２０〜５０程度であった。よって、表２に挙げた各物質を希釈液中に含有させることにより、酵母様真菌の蛍光染色性が大きく向上することがわかる。蛍光染色に用いる蛍光色素や、その他試薬中の各物質との組合わせの中で、上記各物質から適当なものを選択して用いることで、酵母様真菌と赤血球の蛍光強度差が大きくなり、両者の判別がより確実なものとなる。
【００７１】
上記各実施例においては、酵母様真菌の蛍光染色性を向上させて赤血球の判別精度を向上させることについて言及してきたが、この技術は、連鎖したブドウ球菌が検体中に存在して赤血球の判別を阻害する場合にも応用可能である。ブドウ球菌の細胞一つ一つは赤血球と比べて小さいため、通常は赤血球の判別に影響を与えないが、ブドウ球菌が連鎖すると、見かけの大きさが大きくなり、赤血球の大きさと重なり、正確な判別を困難にすることがある。このような場合に、上記に説明してきた試薬を用いてブドウ球菌の蛍光染色性を向上させることで、赤血球を精度よく判別することが出来る。
【００７２】
また上記実施例においては、検体として尿を用いているが、本発明は必ずしもこれに限られない。例えば、脳脊髄液、関節液、リンパ液、胸水、腹水、喀痰、咽頭粘液や鼻腔粘液等の粘液、気管洗浄液等の洗浄液、尿道分泌物や膣分泌物等の分泌物、創部浸出液や膿浸出液等の浸出液、といったものを検体としてもよい。
【符号の説明】
【００７３】
１００  尿中粒子分析装置
２００  試料調製部
２２１  検体セット部
２２２  試薬セット部
２２３  インキュベータ
２２４  分注装置
２２５  検体容器
２２６  反応容器
２２７  試薬容器
２３１  試薬容器
３００  検出部
３０１  フローセル
３０６  レーザ光源
３０８  フォトダイオード
３１１  フォトマルチプライヤチューブ
４００  制御部
４０１  メモリ
４０２  ＣＰＵ
４０３  信号処理回路
４０４  動作制御回路
【図１】
2010002428.tif 000011
【図２】
2010002428.tif 000012
【図３】
2010002428.tif 000013
【図４】
2010002428.tif 000014
【図５】
2010002428.tif 000015
【図６】
2010002428.tif 000016
【図７】
2010002428.tif 000017
【図８】
2010002428.tif 000018
【図９】
2010002428.tif 000019
【図１０】
2010002428.tif 000020
【図１１】
2010002428.tif 000021
【図１２】
2010002428.tif 000022
【図１３】
2010002428.tif 000023